(57)【特許請求の範囲】
【請求項１】
監視対象の設置箇所にある監視装置を有する被監視部に接続され、移動体通信網を介して前記監視対象の設置箇所から離れた遠隔地に設けられた監視センターとの間で通信可能な監視対象側の通信アダプタ装置であって、
前記被監視部との間で通話時の電話音声信号及びデータに基づいて符号化されて生成されたみなし音声信号の少なくとも一方を含むアナログ音声信号を送受信可能に構成され、前記被監視部との間で送受信されるアナログ音声信号と、パケットとの相互変換を行う音声パケット変換処理手段と、
パケット交換網を有する移動体通信網との間で無線通信可能に構成され、前記移動体通信網との間で送受信される無線伝送信号と、前記音声パケット変換処理手段で処理されるパケットとの相互変換を行う無線通信処理手段と、
前記移動体通信網に送信される無線伝送信号に変換される送信対象の複数のパケットを一時的に蓄積する所定の容量の送信バッファと、を備え、
前記送信バッファは、前記被監視部から受信した前記アナログ音声信号から変換された音声パケットを蓄積する音声パケット用送信バッファと、前記監視センターとの間の呼制御を行うための制御パケットを蓄積する制御パケット用送信バッファとを有し、
前記無線通信処理手段は、前記移動体通信網に無線伝送信号を送信できない無線通信エラーが発生した場合、
前記音声パケット用送信バッファが満杯になったときは、その音声パケット用送信バッファ内の音声パケットを古いほうから順次廃棄し、音声パケットの生成を停止せずに該音声パケット用送信バッファへの音声パケットの蓄積を継続し、
前記制御パケット用送信バッファが満杯になったときは、その制御パケット用送信バッファ内の制御パケットを廃棄せずに、制御パケットの生成を停止して該制御パケット用送信バッファへの制御パケットの蓄積を停止する、ことを特徴とする通信アダプタ装置。
【請求項２】
請求項１の通信アダプタ装置において、
前記音声パケット用送信バッファの容量は、前記移動体通信網との間の無線通信で許容される伝送遅延時間に発生する複数の音声パケットを蓄積可能に設定されていることを特徴とする通信アダプタ装置。
【請求項３】
請求項２の通信アダプタ装置において、
前記音声パケットの１フレームの時間をＡとし、前記音声パケットの１フレームのビット数（１フレーム中の符号化情報のビット数にヘッダとフッタのビット数を加えたもの）をＢとし、前記移動体通信網との間の無線通信で許容される伝送遅延時間をＣとしたとき、前記音声パケット用送信バッファの容量Ｄは次の式（１）で示す容量であることを特徴とする通信アダプタ装置。
Ｄ＝Ｂ×Ｃ／Ａ・・・（１）
【請求項４】
請求項１乃至３の通信アダプタ装置において、
前記音声パケット変換処理手段は、
前記被監視部が生成した前記アナログ音声信号を前記被監視部から受信し、受信したアナログ音声信号に符号化処理を行なってデジタル音声信号に変換し、前記デジタル音声信号にエラー検出用フレームとパケットルーチング用ヘッダとを付加して音声パケットを生成し、生成した音声パケットを前記無線通信処理手段に送り、
前記無線通信処理手段から受けた音声パケットに対してパケットルーチング用ヘッダを除去し、エラーフレームの廃棄を行なった上でフレームを除去してデジタル音声信号を抽出し、抽出したデジタル音声信号に復号化を行なってアナログ音声信号に変換し、変換した結果として得られるアナログ音声信号を前記被監視部に送信するように構成したことを特徴とする通信アダプタ装置。
【請求項５】
請求項４の通信アダプタ装置において、
前記音声パケット変換処理手段は、
前記被監視部が生成したアナログ音声信号を前記被監視部から受信する処理と、前記監視センター側から受信して得られたアナログ音声信号を前記被監視部に送信する処理とを行うアナログ電話インターフェース手段と、
前記アナログ電話インターフェース手段から受けたアナログ音声信号をデジタル音声信号に変換する符号化処理と、前記監視センター側から受信して得られたデジタル音声信号をアナログ音声信号に変換して前記アナログ電話インターフェース手段に出力する復号化処理とを行う符号化・復号化処理手段と、
前記符号化・復号化処理手段から受けたデジタル音声信号にエラー検出用フレームとパケットルーチング用ヘッダとを付加して音声パケットを生成する処理と、前記監視センター側から受信した音声パケットに対してパケットルーチング用ヘッダを除去し、エラーフレームの廃棄を行った上でフレームを除去してデジタル音声信号を取り出し前記符号化・復号化処理手段に出力する処理とを行うパケット処理手段と、
前記監視センター側との間のパケット通信のための制御を行うパケット通信制御手段と、を備えたことを特徴とする通信アダプタ装置。
【請求項６】
請求項５の通信アダプタ装置において、
前記音声パケット変換処理手段は、
前記被監視部側のアナログの電話制御信号と、パケット通信網上でアナログ音声信号を送受信するためのパケット通信を制御するためのデジタルのパケット通信制御信号との相互変換を行う制御信号変換手段を、更に備え、
前記パケット通信制御手段は、
前記制御信号変換手段から受けたパケット通信制御信号にエラー訂正用フレームとパケットルーチング用ヘッダとを付加して制御パケットを生成する処理と、
前記監視センター側から受信した制御パケットに対してパケットルーチング用ヘッダを除去しフレームを除去してデジタルのパケット通信制御信号を取り出し前記制御信号変換手段に出力する処理とを、更に行うことを特徴とする通信アダプタ装置。
【請求項７】
請求項５又は６の通信アダプタ装置において、
前記符号化・復号化処理手段は、３２ｋｂｐｓの適応的差分ＰＣＭ（Adaptive Differential Pulse Code Modulation）方式で前記符号化処理及び前記復号化処理を行うことを特徴とする通信アダプタ装置。
【請求項８】
請求項１乃至７のいずれかの通信アダプタ装置において、
前記被監視部との間で送受信される前記みなし音声信号は、前記監視対象の監視データ及び前記監視センターの装置を制御するためのデータの少なくとも一方に基づいて符号化されて生成されたアナログのみなし音声信号を含むことを特徴とする通信アダプタ装置。
【請求項９】
請求項１乃至８のいずれかの監視対象側の通信アダプタ装置と、
前記移動体通信網に接続されたＩＰ網を介して前記監視対象側の通信アダプタ装置と通信可能な監視センター側の通信アダプタ装置と、を備えることを特徴とする遠隔監視システム。
【発明の詳細な説明】
【技術分野】
【０００１】
本発明は、各種設備や機器等の監視対象の監視データを遠隔地の監視センターの監視装置へ送信し、必要に応じて音声通話することができる遠隔監視システム及びそのシステムに用いる通信アダプタ装置に関するものである。
【背景技術】
【０００２】
従来、エレベータや工場の生産設備機器等の被監視機器のデータを通信回線を介して遠隔地に設置された監視センターの監視装置へ送信し、必要に応じて被監視機器の利用者や操作者と監視センターのオペレータとが音声通話することが行われている。この被監視機器のデータの送受信及び音声通話の通信にＰＨＳ（Personal Handyphone System）を用いた遠隔監視システムが知られている（例えば、特許文献１参照）。
【０００３】
図１０はＰＨＳ通信網を用いた遠隔監視システムの一例を示す全体構成図である。図１０において、被監視機器５０１に設けられた監視装置５０２は通信装置５０３を介してＰＨＳ通信端末５０４に接続されており、例えば駆動モータの動作状況等のデータが定期的又は不定期的に無線通信により送信される。このデータはＰＨＳ基地局５０５で受信され、ＰＨＳ通信網５０６、ＩＳＤＮ等の電話通信網５０７及び通信装置５０８を介して監視センター５０９の監視装置５１０に送られる。また、ＰＨＳ通信網５０６を介して被監視機器５０１と監視センター５０９との間で音声通信回線を確立することができる。これにより、遠隔地に配設された複数の被監視機器５０１を、一箇所の監視センター５０９で集中的に監視することができるとともに、必要に応じて被監視機器５０１の利用者５１１や操作者が被監視機器５０１の状況を監視センター５０９のオペレータ５１２に音声で伝えたり、オペレータ５１２が利用者５１１や操作者に音声で指示したりすることができる。
【０００４】
しかしながら、上記ＰＨＳを用いた遠隔監視システムでは、ＰＨＳ基地局５０５の送信出力が２０〜５００ｍＷであり、ＰＨＳ通信端末５０４の送信出力が１０ｍＷ程度と携帯電話機に比べて小さく、同じ面積のエリアをカバーするために携帯電話機の基地局よりも多い数のＰＨＳ基地局５０５を設置する必要がある。しかし、ＰＨＳ基地局５０５は日本国内すべての地域において同程度の密度では設置されておらず、都市部に偏って設置されているため、ＰＨＳ通信端末５０４によって安定して通信できる地域は都市部に限られ、それ以外の地域ではＰＨＳ基地局５０５の電波が届かなかったり、ＰＨＳ基地局自体が設置されていなかったりして、通信圏外となる場合が多い。また、ＰＨＳ通信圏内であっても、ＰＨＳ基地局５０５とＰＨＳ通信端末５０４との間の電界強度が変動したり、電波干渉が発生したりして、通信の失敗が多く発生する地域もある。このため、ＰＨＳを用いた遠隔監視システムでは、都市部から離れた地域や山間部などＰＨＳの通信圏外の地域や通信の不安定な地域に配設された機器を遠隔監視することができなかった。
【０００５】
そこで、本出願人は、ＰＨＳを用いた場合に比べ、より広い地域に配設された監視対象について安定した通信状態を維持しながら遠隔監視することができる遠隔監視システム及びそのシステムに用いる通信アダプタ装置を提案した（特許文献２参照）。この遠隔監視システムでは、監視対象の設置箇所にある監視装置と遠隔地の監視センターとの間で移動体通信網の回線交換網を介してデータ及び音声の通信ができるように、移動体通信網とＩＳＤＮ通信網と汎用ＩＳＤＮターミナルアダプタとを介した非制限デジタル通信を行っている。
【先行技術文献】
【特許文献】
【０００６】
【特許文献１】特開２００２−０２００４９号公報
【特許文献２】特許第４３８２８７１号公報
【発明の概要】
【発明が解決しようとする課題】
【０００７】
近年の移動体通信網では、音声通信の交換網として回線交換網のほかパケット交換網を用いるようになってきている。また、パケット交換網のみに対応した移動体通信網も存在する。このような状況の下、移動体通信網のパケット交換網を介して監視装置と監視センターとの間で、アナログ音声信号及びデータから生成したみなし音声信号を安定して送受信したいという要求がある。
【０００８】
本発明は以上の問題点に鑑みなされたものであり、その目的は、ＰＨＳを用いた場合に比べてより広い地域に配設された監視対象について、移動体通信網のパケット交換網を介した安定した通信状態を維持しながら遠隔監視することができる遠隔監視システム及びそのシステムに用いる通信アダプタ装置を提供することである。
【課題を解決するための手段】
【０００９】
本発明に係る通信アダプタ装置は、監視対象の設置箇所にある監視装置を有する被監視部に接続され、移動体通信網を介して前記監視対象の設置箇所から離れた遠隔地に設けられた監視センターとの間で通信可能な監視対象側の通信アダプタ装置であって、前記被監視部との間で通話時の電話音声信号及びデータに基づいて符号化されて生成されたみなし音声信号の少なくとも一方を含むアナログ音声信号を送受信可能に構成され、前記被監視部との間で送受信されるアナログ音声信号と、パケットとの相互変換を行う音声パケット変換処理手段と、パケット交換網を有する移動体通信網との間で無線通信可能に構成され、前記移動体通信網との間で送受信される無線伝送信号と、前記音声パケット変換処理手段で処理されるパケットとの相互変換を行う無線通信処理手段と、を備える。
【００１０】
前記通信アダプタ装置において、前記移動体通信網に送信される無線伝送信号に変換される送信対象の複数のパケットを一時的に蓄積する所定の容量の送信バッファを更に備え、前記無線通信処理手段は、前記無線伝送信号を送信できない無線通信エラーが発生した場合に、前記音声パケット変換処理手段から受けたパケットの前記送信バッファへの蓄積を継続するように、前記送信バッファに蓄積済みの複数のパケットを古いほうから順次廃棄するパケット廃棄処理を行ってもよい。
また、前記通信アダプタ装置において、前記送信バッファの容量は、前記移動体通信網との間の無線通信で許容される伝送遅延時間に発生する複数のパケットを蓄積可能に設定してもよい。
また、前記通信アダプタ装置において、前記送信バッファは、前記被監視部から受信した前記アナログ音声信号から変換された音声パケットを蓄積する音声パケット用送信バッファと、前記監視センターとの間の呼制御を行うための制御パケットを蓄積する制御パケット用送信バッファとを有し、前記パケット廃棄処理は、前記音声パケット用送信バッファについて行い、前記制御パケット用送信バッファについて行わないようにしてもよい。
また、前記通信アダプタ装置において、前記音声パケット変換処理手段は、前記被監視部が生成した前記アナログ音声信号を前記被監視部から受信し、受信したアナログ音声信号に符号化処理を行なってデジタル音声信号に変換し、前記デジタル音声信号にエラー検出用フレームとパケットルーチング用ヘッダとを付加してパケットを生成し、生成したパケットを前記無線通信処理手段に送り、前記無線通信処理手段から受けたパケットに対してパケットルーチング用ヘッダを除去し、エラーフレームの廃棄を行なった上でフレームを除去してデジタル音声信号を抽出し、抽出したデジタル音声信号に復号化を行なってアナログ音声信号に変換し、変換した結果として得られるアナログ音声信号を前記被監視部に送信するように構成してもよい。
また、前記通信アダプタ装置において、前記音声パケット変換処理手段は、前記被監視部が生成したアナログ音声信号を前記被監視部から受信する処理と、前記監視センター側から受信して得られたアナログ音声信号を前記被監視部に送信する処理とを行うアナログ電話インターフェース手段と、前記アナログ電話インターフェース手段から受けたアナログ音声信号をデジタル音声信号に変換する符号化処理と、前記監視センター側から受信して得られたデジタル音声信号をアナログ音声信号に変換して前記アナログ電話インターフェース手段に出力する復号化処理とを行う符号化・復号化処理手段と、前記符号化・復号化処理手段から受けたデジタル音声信号にエラー検出用フレームとパケットルーチング用ヘッダとを付加してパケットを生成する処理と、前記監視センター側から受信したパケットに対してパケットルーチング用ヘッダを除去し、エラーフレームの廃棄を行った上でフレームを除去してデジタル音声信号を取り出し前記符号化・復号化処理手段に出力する処理とを行うパケット処理手段と、前記監視センター側との間のパケット通信のための制御を行うパケット通信制御手段と、を備えてもよい。
また、前記通信アダプタ装置において、前記音声パケット変換処理手段は、前記被監視部側のアナログの電話制御信号と、パケット通信網上でアナログ音声信号を送受信するためのパケット通信を制御するためのデジタルのパケット通信制御信号との相互変換を行う制御信号変換手段を、更に備え、前記パケット通信制御手段は、前記制御信号変換手段から受けたパケット通信制御信号にエラー訂正用フレームとパケットルーチング用ヘッダとを付加してパケットを生成する処理と、前記監視センター側から受信したパケットに対してパケットルーチング用ヘッダを除去しフレームを除去してデジタルのパケット通信制御信号を取り出し前記制御信号変換手段に出力する処理とを、更に行うものであってもよい。
また、前記通信アダプタ装置において、前記符号化・復号化処理手段は、３２ｋｂｐｓの適応的差分ＰＣＭ（Adaptive Differential Pulse Code Modulation）方式で前記符号化処理及び前記復号化処理を行うものであってもよい。
また、前記通信アダプタ装置において、前記被監視部との間で送受信される前記みなし音声信号は、前記監視対象の監視データ及び前記監視センターの装置を制御するためのデータの少なくとも一方に基づいて符号化されて生成されたアナログのみなし音声信号を含むものであってもよい。
【００１１】
本発明に係る遠隔監視システムは、前記監視対象側の通信アダプタ装置のいずれかと、前記移動体通信網に接続されたＩＰ網を介して前記監視対象側の通信アダプタ装置と通信可能な監視センター側の通信アダプタ装置と、を備える。
【発明の効果】
【００１２】
本発明によれば、音声パケット変換処理手段が、監視対象の設置箇所にある監視装置を有する被監視部との間で送受信される電話音声信号及びみなし音声信号の少なくとも一方を含むアナログ音声信号と、パケットとの相互変換を行い、無線通信処理手段が、移動体通信網との間で送受信される無線伝送信号と、前記音声パケット変換処理手段で処理されるパケットとの相互変換を行う。これらの相互変換を行うことにより、移動体通信網のパケット交換網を介して、前記被監視部と、前記移動体通信網に接続可能な監視センターとの間で、電話音声信号及びみなし音声信号の少なくとも一方を含むアナログ音声信号の通信を行うことができる。よって、ＰＨＳを用いた場合に比べてより広い地域に配設された監視対象について、移動体通信網のパケット交換網を介して安定した通信状態を維持しながら遠隔監視することができる。
【図面の簡単な説明】
【００１３】
【図１】本発明の実施形態に係る遠隔監視システムの一例の概要を示す説明図。
【図２】監視対象側の通信アダプタ装置の一構成例を示す機能ブロック図。
【図３】無線通信モジュールの一構成例を示す機能ブロック図。
【図４】従来の無線通信モジュールで送信バッファが満杯になったときのＩＰパケットの処理の説明図であり、（ａ）は正常に無線通信が行われている場合の説明図、（ｂ）は無線通信が途絶された場合の説明図。
【図５】本発明の実施形態に係る無線通信モジュールで送信バッファが満杯になったときのＩＰパケットの処理の説明図であり、（ａ）は正常に無線通信が行われている場合の説明図、（ｂ）は無線通信が途絶された場合の説明図。
【図６】監視センター側の通信アダプタ装置の一構成例を示す機能ブロック図。
【図７】エレベータの異常発生時の動作の一例を示すフローチャート。
【図８】エレベータの監視データをポーリングにより吸い上げる場合の動作の一例を示すフローチャート。
【図９】エレベータ内の利用者と監視センターのオペレータとの音声通話の動作の一例を示すフローチャート。
【図１０】従来技術に係るＰＨＳを用いた遠隔監視システムの一例の概要を示す説明図。
【発明を実施するための形態】
【００１４】
図１は、本発明の一実施形態に係る遠隔監視システムの概要を示す説明図である。本実施形態は、本発明を監視対象としてエレベータを監視する遠隔監視システムに適用した例である。図１において、エレベータ１の設置箇所にある監視装置１０は、巻上機２や駆動部３及びコンピュータ等の情報処理装置からなる主制御装置４等が配設された機械室に設置され、主制御装置４に接続され、駆動部３の駆動状況や扉の開閉状況等の運転状況を常に監視している。エレベータ１が正常に運転しているときは、遠隔地に設けられた監視センター２０の遠隔監視装置２１に所定の時間毎に運転状況を監視データとして送信し、エレベータ１に異常が発生したときはリアルタイムで遠隔監視装置２１に監視データを送信する。監視装置１０から出力されるデジタル信号の監視データは、モデム１１でアナログ信号としてみなし音声信号（モデム信号）に変換され、切替器１２を中継して監視対象側の通信アダプタ装置１３に送信される。監視対象側の通信アダプタ装置１３では、通話時の電話音声信号及びみなし音声データの少なくとも一方を含むアナログ音声信号を高品質符号化処理により符号化、すなわち後述するＡＤＰＣＭ（Adaptive Differential Pulse Code Modulation）に圧縮された後、ＩＰパケット信号の伝送信号の処理をして、アンテナ１４から移動体通信網１５の携帯基地局１６に無線送信する。なお、上記アンテナ１４からの出力は０．６〜０．８Ｗ、上記携帯基地局１６の出力は２０〜１００Ｗ程度であり、ＰＨＳ基地局からの出力に比べて出力が大きいため、１つの携帯基地局１６でより広いエリアに設置された複数の監視対象を遠隔監視することができる。
【００１５】
また、エレベータ１には送受話器１７が設けられ、非常時に、エレベータ１の利用者が監視センター２０の送受話器２２のオペレータと音声通話できるようになっている。この音声通話にはＶｏＩＰ（Voice over Internet Protocol）が用いられる。送受話器１７のアナログ音声信号である電話音声信号は切替器１２を介して監視対象側の通信アダプタ装置１３に送られ、高品質符号化処理により符号化された後、ＩＰ（Internet Protocol）パケットに変換される。ＩＰパケットは、移動体通信用の無線伝送信号に変換された後、アンテナ１４から移動体通信網の携帯基地局１６に無線送信される。一方、監視センター２０のオペレータのアナログ音声信号である電話音声信号は、監視センター２０の送受話器２２からエレベータ１の送受話器１７に送られる。このようにして、エレベータ１の利用者と監視センター２０のオペレータとの間で、アナログ電話による音声通話を行うことができる。切替器１２は、モデム１１から出力されるアナログのみなし音声信号（モデム信号）と送受話器１７のアナログの電話音声信号とを監視対象側の通信アダプタ装置１３に送る。また、切替器１２は、監視対象側の通信アダプタ装置１３から出力されるアナログの電話音声信号を送受話器１７に送り、アナログのみなし音声信号をモデム１１に送る。上記監視装置１０、モデム１１、切替器１２及び送受話器１７は、被監視部１００を構成する。
【００１６】
監視センター２０には、遠隔監視装置２１及び送受話器２２のほかに、仮想閉域ＩＰ通信網１８に接続するローカルエリアネットワーク（以下、「ＬＡＮ」という。）２３、監視センター側の通信アダプタ装置２４、切替器２５、モデム２６が設けられている。また、ＬＡＮ２３には、監視センターにおけるＩＰ電話を管理する呼管理装置２７が接続されている。監視センター２０に設けられた切替器２５は、監視センター側の通信アダプタ装置２４から出力されるアナログ音声信号を、みなし音声信号の場合にはモデム２６に切り替えて送り、通話時の電話音声信号の場合には送受話器２２に送る。この信号の切り替えは、例えば、みなし音声信号のヘッダに付加された監視データである旨の信号やプッシュボタン信号（パルス信号）等に基づいて行われる。上記遠隔監視装置２１、送受話器２２、切替器２５及びモデム２６は、監視部２００を構成する。
【００１７】
図２は、上記監視対象側の通信アダプタ装置１３の一構成例を示す機能ブロック図である。監視対象側の通信アダプタ装置１３は、音声を各種符号化方式で圧縮しパケットに変換した上でＩＰ（Internet Protocol）ネットワークでリアルタイム伝送する機能を有するＶｏＩＰ（Voice over Internet Protocol）ゲートウェイ装置であり、音声パケット変換処理手段としての音声パケット変換処理部１３０と、無線通信処理手段としての無線通信モジュール１３７とを備えている。音声パケット変換処理部１３０は、被監視部１００との間でアナログ音声信号を送受信可能に構成され、被監視部１００との間で送受信されるアナログ音声信号と、パケットとの相互変換を行う。無線通信モジュール１３７は、パケット交換網を有する移動体通信網１５との間で無線通信可能に構成され、移動体通信網１５との間で送受信される無線伝送信号と、音声パケット変換処理部１３０で処理されるパケットとの相互変換を行う。
【００１８】
音声パケット変換処理部１３０は、アナログ電話インターフェース手段としての加入者ループインターフェース回路部（以下、「ＳＬＩＣ（Subscriber Loop Interface Circuit）」という。）１３１と、符号化・復号化処理手段としてのＡＤＰＣＭ（Adaptive Differential Pulse Code Modulation−Coder Decoder）コーデック部（以下、「ＡＤＰＣＭ−Ｃｏｄｅｃ」という。）１３２と、パケット処理手段としてのパケット処理部１３３と、制御信号変換手段としての制御信号変換部１３４と、パケット通信制御手段としてのパケット通信制御部１３５と、加入者情報記憶媒体としてのＵＳＩＭ（Universal Subscriber Identity Module）１３６と、ＩＰパケットを一時的に蓄積する所定の容量の送信バッファを有する無線通信処理手段としての無線通信モジュール１３７と、を備えている。
【００１９】
ＳＬＩＣ１３１は、電話回線を接続するためのインターフェース回路であり、監視データ及び制御データの少なくとも一方のデジタルデータから変換されたみなし音声信号と通話時の電話音声信号の少なくとも一方を含むアナログ音声信号を監視装置１０との間で送受信し、またアナログ電話インターフェースにおける呼制御信号を監視装置１０との間で送受信する。また、ＳＬＩＣ１３１は、エレベータ１に配設された送受話器１７の回線給電制御機能や回線状態監視機能を有していてもよい。
【００２０】
ＡＤＰＣＭ−Ｃｏｄｅｃ１３２は、音声をデジタルデータに変換する方式の一つである適応的差分パルス符号変調方式により、信号やデータを符号化／復号化する装置であり、ＳＬＩＣ１３１から受けたアナログ音声信号をデジタル音声信号に変換してパケット処理部１３３に出力する符号化処理と、パケット処理部１３３から受信したデジタル音声信号をアナログ音声信号に変換してＳＬＩＣ１３１に出力する復号化処理とを行う。
【００２１】
制御信号変換部１３４は、ＳＬＩＣ１３１を介して送受信するアナログ電話インターフェースの呼制御信号と、ＶｏＩＰ制御信号（ＳＩＰ又はＨ．３２３）等のパケット通信制御信号との相互変換を行なう。
【００２２】
パケット処理部１３３は、被監視部１００側のアナログの電話制御信号と、パケット通信網上でアナログ音声信号を送受信するためのパケット通信を制御するためのデジタルのパケット通信制御信号との相互変換を行う。更に詳しく説明すると、パケット処理部１３３は、ＡＤＰＣＭ−Ｃｏｄｅｃ１３２から受けたデジタル音声信号にＵＤＰ（User Datagram Protocol）、ＲＴＰ（Real-time Transport Protocol）の各レイヤに関するエラー検出用フレームと、パケットルーチング用ヘッダであるＩＰヘッダを付加してパケット通信制御部１３５に送信する。また制御信号変換部１３４から受けたアナログの電話制御信号にエラー訂正用フレームであるＴＣＰ（Transmission Control Protocol）フレームと、パケットルーチング用ヘッダであるＩＰヘッダを付加してパケット通信制御部１３５に送信する。また、パケット通信制御部１３５から受信した音声信号のＩＰパケット及びパケット通信制御信号（ＶｏＩＰ制御信号）のＩＰパケットを復号化し、パケット通信制御信号（ＶｏＩＰ制御信号）とデジタル音声信号とに分離して、さらにＩＰ、ＴＣＰ又はＵＤＰ、ＲＴＰの各レイヤに関するエラーフレームの訂正処理または廃棄を行った上でフレームの除去を行い、パケット通信制御信号（ＶｏＩＰ制御信号）を制御信号変換部１３４に出力し、デジタル音声信号をＡＤＰＣＭ−Ｃｏｄｅｃ１３２に出力する。ここで、パケット通信制御信号は、監視センター２０側との通信に採用されるＳＩＰ（Session Initiation Protocol）やＨ．３２３等の通信プロトコルの種類に応じて設定される。
【００２３】
パケット通信制御部１３５は、パケット通信の起動、起動時の認証、維持・開放等の制御を行う。
【００２４】
ＵＳＩＭ１３６は、汎用加入者識別モジュールで、携帯電話事業者への加入情報などが記録されている。ＵＳＩＭ１３６に記録されている加入者情報等の情報は、無線通信モジュール１３７やパケット通信制御部１３５で読み出され、認証処理などに用いられる。
【００２５】
無線通信モジュール１３７は、後述のようにベースバンド制御部やＲＦ制御部などにより構成され、携帯基地局１６と所定の周波数及び通信方式で無線通信を行い、移動体通信網１５及び仮想閉域ＩＰ通信網１８を介して監視センター２０の遠隔監視装置２１や送受話器２２と通信するときに用いられる。
【００２６】
図３は、無線通信モジュール１３７の一構成例を示す機能ブロック図である。図３において、無線通信モジュール１３７は、インターフェース制御部６０１と、ベースバンド制御部６０２と、ＲＦ制御部６０３と、ＲＦフロントエンド部６０４と、アンテナ端子６０５と、電源制御部６０６とを備えている。
【００２７】
パケット通信制御部１３５から送られたＩＰパケットは、インターフェース制御部６０１を経由してベースバンド制御部６０２に渡されて符号拡散処理がなされる。符号拡散処理がなされたベースバンド信号は、ＲＦ制御部６０３に内蔵されたＤ／Ａ変換器でアナログの無線伝送信号に変換され、ＲＦフロントエンド部６０４において増幅や不要帯域成分の除去が行われて、アンテナ端子６０５を経由してアンテナ１４から携帯基地局１６に向けて無線送信される。
【００２８】
一方、アンテナ１４で受信したＩＰパケット通信の無線伝送信号は、アンテナ端子６０５を経由してＲＦフロントエンド部６０４に渡されて、ＲＦフロントエンド部６０４において増幅や帯域フィルタリング処理が行われてＲＦ制御部に渡され、ＲＦ制御部６０３に内蔵されたＡ／Ｄ変換器によりデジタルのベースバンド信号に変換される。変換されたベースバンド信号に対して、ベースバンド制御部６０２内で逆拡散・復調処理が行われた後、インターフェース制御部６０１を経由してパケット通信制御部１３５へ送られる。
【００２９】
従来、ＩＰパケット通信用の無線通信モジュールでは、送信対象の複数のＩＰパケットを一時的に蓄積しておく送信バッファを有しているが、無線通信の途絶や瞬断等の無線通信エラーによってデータ転送の遅延が生じて、送信バッファが送信できないＩＰパケットで満杯になると、ＩＰパケットの生成を停止する制御を行っている。従来の無線通信モジュールをＶｏＩＰによる音声通信に用いると、無線通信の途絶や瞬断の後で無線通信が回復したときに、上記ＩＰパケットの生成停止の制御に起因して、受信側で急激な音飛びが発生することがある。そこで、本実施形態に係る無線通信モジュール１３７では、送信バッファにおけるＩＰパケットを処理制御方法を変更することにより、この問題を解決している。
【００３０】
図４は、比較例として、従来の無線通信モジュールにおいて送信バッファが満杯になったときのＩＰパケットの処理を説明するための説明図である。図４（ａ）は正常に無線通信が行われている場合を示し、図４（ｂ）は無線通信が途絶された場合を示した説明図である。図４（ａ）において、正常な無線通信が行われている場合には、生成されたＩＰパケットＰが送信バッファＢｕを経由して無線により送信される。これに対して、図４（ｂ）では、無線通信の途絶によってデータ転送の遅延が生じ、送信バッファＢｕが満杯になると、送信バッファＢｕが満杯になったことを検知した図示しない制御部は、図示しないＩＰパケット生成部にＩＰパケットＰの生成を停止する生成停止信号を出力して、ＩＰパケットＰの生成を停止する。そして、無線通信が回復すると、送信バッファＢｕに蓄積されていた古いＩＰパケットＰを送信するとともに、ＩＰパケットＰの生成を再開し、通常のデータ転送を行う。
【００３１】
しかしながら、上記従来の無線通信モジュールによって、ＶｏＩＰによる音声のＩＰパケットの無線通信を行うと、無線通信の途絶や瞬断による無音状態とは別に、無線通信が回復したときに、急激な音飛びが発生することがある。この原因について発明者らが鋭意検討した結果、次の原因によることがわかった。つまり、無線通信の途絶や瞬断が生じた後の無線通信が回復したときに、送信バッファに保持されていたＩＰパケットが送信されるが、このＩＰパケットは、図４（ｂ）に示すように、無線通信の途絶又は瞬断前のＩＰパケットなので、このＩＰパケットが音声信号の場合、受信側では無線通信の途絶又は瞬断前の遅延した音声が再生される。これに続けてリアルタイムの送話者の音声データのＩＰパケットを受信して再生すると、急激な音飛びが発生する。
【００３２】
そこで、本実施形態に係る無線通信モジュール１３７では、図３に示すように、ベースバンド制御部６０２に音声パケット用送信バッファ６０２ａと制御パケット用送信バッファ６０２ｂとの２つの送信バッファを設けている。そして、ベースバンド制御部６０２は、移動体通信網１５に無線伝送信号を送信できない無線通信エラーが発生した場合に、パケット通信制御部１３５から送られてくる音声ＩＰパケットで音声パケット用送信バッファ６０２ａが満杯になったときには、最初に蓄積された音声ＩＰパケットすなわち古い音声ＩＰパケットから廃棄処理する制御を行っている。
【００３３】
図５は、本実施形態に係る無線通信モジュール１３７において音声パケット用送信バッファ６０２ａが満杯になったときの音声ＩＰパケットの処理の一例を説明するための説明図である。図５（ａ）は正常に無線通信が行われている場合を示し、図５（ｂ）は無線通信が途絶された場合を示した説明図である。
図５（ａ）において、正常な無線通信が行われている場合には、音声信号から生成された音声ＩＰパケットＰｖが音声パケット用送信バッファ６０２ａを経由して無線により携帯基地局１６に送信される。一方、図５（ｂ）に示すように、無線通信の途絶によってデータ転送の遅延が生じた場合、音声パケット用送信バッファ６０２ａが音声ＩＰパケットＰｖで満杯になっても、パケット通信制御部１３５側での音声ＩＰパケットＰｖの生成を停止せずに継続し、最初に蓄積された古い音声ＩＰパケットＰｖから順次廃棄していく。これにより、無線通信の途絶や瞬断が生じた後の無線通信が回復したときに、音声パケット用送信バッファ６０２ａに蓄積されていた直近の音声ＩＰパケットＰｖから順次送信されるので、監視センター側（受信側）では無線通信の途絶又は瞬断による無音状態の後、送話者の直近の音声ＩＰパケットＰｖが再生される。これに続けてリアルタイムの音声ＩＰパケットＰｖを受信して再生するので、急激な音飛びが発生することなく、連続した音声が再生される。
【００３４】
なお、無線通信モジュール１３７に設けられているもう一つの制御パケット用送信バッファ６０２ｂに関しては、蓄積されるＩＰパケットが呼制御情報のＩＰパケット（パケット通信制御信号）であることから、満杯になったときは、従来どおり、廃棄せずに保持し、呼制御情報のＩＰパケットの生成を停止する制御を行う。
【００３５】
なお、無線通信モジュール１３７の音声パケット用送信バッファ６０２ａには音声ＩＰパケットＰｖを多く蓄積しておかなくてもよいので、従来の送信バッファに比べて容量を小さくでき、コストの低減と消費電力の低減とが図れる。音声パケット用送信バッファ６０２ａの容量Ｄは、例えば次の式（１）で示すことができる。
【００３６】
Ｄ＝Ｂ×Ｃ／Ａ・・・（１）
ただし、Ａは１フレームの時間、Ｂは１フレームのビット数（１フレーム中の符号化情報のビット数にヘッダとフッタのビット数を加えたもの）、Ｃは遅延が許容される時間（遅延を許容される時間内に収めるために送信バッファに蓄積されていることが許容される時間）である。
【００３７】
ここで、３２ｋｂｐｓのＡＤＰＣＭ（適応的差分ＰＣＭ）方式において、一般的な容量Ｄは、Ａ＝１０[ｍｓ]、Ｂ＝６６４[ビット]（ＩＰ：１６０ビット、ＵＤＰ：６４ビット、ＲＴＰ：１２０ビット）、Ｃ＝１５０[ｍｓ]とすると、上記式（１）から、Ｄ＝９９６０[ｂｉｔ]＝１２４５[ｂｙｔｅ]と算出される。
【００３８】
また、上記音声パケット用送信バッファ６０２ａにおける音声ＩＰパケットＰｖの廃棄制御としてはカウンタを用いた方法がある。この廃棄制御について説明する。まず、通信開始とともにカウントを開始し、上記１フレームの時間Ａの時間毎に１づつ値を加算するカウンタを用いる。そして、１フレームを受信したら、その時点でのカウンタ値を付加して音声パケット用送信バッファ６０２ａに保存する。音声パケット用送信バッファ６０２ａに保存しているフレームに付加されているカウンタ値が、現在のカウンタ値より上記遅延が許容される時間Ｃを１フレームの時間Ａで除した値（Ｃ／Ａ）以上小さいものについて、フレームごと廃棄する。
【００３９】
次に、監視センター側の通信アダプタ装置２４について説明する。
図６は、監視センター側の通信アダプタ装置２４の一構成例を示す機能ブロック図である。監視センター側の通信アダプタ装置２４は、ＳＬＩＣ２４１、ＡＤＰＣＭ−Ｃｏｄｅｃ２４２、パケット処理部２４３、制御信号変換部２４４、パケット通信制御部２４５を備えている。なお、監視センター側の通信アダプタ装置２４は、汎用の通信アダプタ装置を用いることも可能である。
【００４０】
監視センター側の通信アダプタ装置２４は、ＶｏＩＰゲートウェイ装置であり、前述の監視対象側の通信アダプタ装置１３と比較すると、ＵＳＩＭ１３６と無線通信モジュール１３７とを備えず、パケット通信制御部２４５によってＬＡＮ２３及び仮想閉域ＩＰ通信網１８を介した通信を行っている。なお、監視対象側の通信アダプタ装置１３と同様な構成については説明を省略する。
【００４１】
ＳＬＩＣ２４１は、ＳＬＩＣ１３１と同等の機能を有するものであり、アナログ音声信号を遠隔監視装置２１との間で送受信する。また、ＳＬＩＣ２４１は、監視センター２０に配設された送受話器２２の回線給電制御機能や回線状態監視機能を有していてもよい。
【００４２】
ＡＤＰＣＭ−Ｃｏｄｅｃ２４２は、ＡＤＰＣＭ−Ｃｏｄｅｃ１３２と同等の機能を有するものであり、アナログ音声信号をＳＬＩＣ２４１と間で送受信し、デジタル音声信号をパケット処理部２４３と送受信する。
【００４３】
パケット処理部２４３は、パケット処理部１３３と同等の機能を有するものであり、ＡＤＰＣＭ−Ｃｏｄｅｃ２４２から受けたデジタル音声信号に制御信号変換部２４４から受けたアナログの電話制御信号を重畳してＩＰパケットを生成し、さらにＩＰ、ＴＣＰ又はＵＤＰ、ＲＴＰの各レイヤに関するエラー訂正用フレームを付加してパケット通信制御部２４５に送信する。また、パケット通信制御部２４５から受信した音声信号のＩＰパケットの伝送信号を復号化し、さらにＩＰ、ＴＣＰ又はＵＤＰ、ＲＴＰの各レイヤに関するエラーフレームの訂正処理または廃棄を行った上でフレームの除去を行い、パケット通信制御信号（ＶｏＩＰ制御信号）を制御信号変換部２４４に出力し、デジタル音声信号をＡＤＰＣＭ−Ｃｏｄｅｃ２４２に出力する。
【００４４】
制御信号変換部２４４は、ＡＴコマンドを用いてＬＡＮ２３及び仮想閉域ＩＰ通信網１８の電話制御信号の送受信を行ない、また、それらのＬＡＮ２３及び仮想閉域ＩＰ通信網１８の電話制御信号と、ＳＬＩＣ２４１を介して送受信するアナログ電話インターフェースの呼制御信号と、ＶｏＩＰ制御信号（ＳＩＰ又はＨ．３２３）との相互変換を行なう。
【００４５】
パケット通信制御部２４５は、ＩＰパケット通信の起動、維持・開放等の制御を行う。なお、パケット通信制御部２４５は、上記監視対象側の通信アダプタ装置１３に備えられている無線通信モジュール１３７の一部の機能を有していてもよい。例えば、音声パケット用送信バッファと制御パケット用送信バッファとを有するベースバンド制御部６０２に相当する機能を有していてもよい。
【００４６】
なお、上記遠隔監視システムにおける移動体通信網１５の通信方式としてはＷ−ＣＤＭＡ（Wideband Code Division Multiple Access）のデジタル通信方式を用いることができる。Ｗ−ＣＤＭＡのデジタル通信方式を用いることにより、監視対象側の通信アダプタ装置１３と監視センター側の通信アダプタ装置２４との間で、３２ｋｂｐｓのＡＤＰＣＭ（適応的差分ＰＣＭ）方式で符号化されたデータを、移動体通信網１５内のパケット交換網を介して送受信することができる。
【００４７】
次に、上記構成の遠隔監視システムでエレベータ１に異常が発生したときの動作について説明する。
図７は、エレベータ１の異常発生時の動作の一例を示すフローチャートである。図７において、エレベータ１が故障した場合（ステップ３０１）、監視装置１０は当該故障を検出して監視センター２０への発呼要求を送信する（ステップ３０２）。監視装置１０の発呼要求はモデム１１でアナログ電話インターフェースの発呼要求信号に変換される（ステップ３０３）。監視対象側の通信アダプタ装置１３は、監視装置１０からの発呼要求信号を受信すると、ＩＰパケット通信により、移動体通信網１５に対して監視センター２０の電話番号宛てに発呼する（ステップ３０４）。この発呼により、移動体通信網１５及び仮想閉域ＩＰ通信網１８にＬＡＮ２３を介して接続された監視センター側の通信アダプタ装置２４に着信し、監視センター側の通信アダプタ装置２４よりアナログ電話インターフェースを介して監視センター側のモデム２６が呼び出される（ステップ３０５）。監視センター２０側のモデム２６が応答する（ステップ３０６）と、アナログ電話インターフェースを介して監視センター側の通信アダプタ装置２４に応答信号が送られ、監視センター側の通信アダプタ装置２４から仮想閉域ＩＰ通信網１８に応答信号が送信され、それが移動体通信網１５を介して監視対象側の通信アダプタ装置１３に到達し、監視対象側の通信アダプタ装置１３よりアナログ電話インターフェースを介してエレベータ側の監視装置１０に応答信号が送られることによりエレベータ側のモデム１１と監視センター２０側のモデム２６との間で通信が確立する。
【００４８】
次に、監視対象側のモデム１１と監視センター側のモデム２６の間の通信回線が確立された状態で、監視装置１０から監視データが出力され（ステップ３０７）、モデム１１でアナログのみなし音声信号に変換される（ステップ３０８）。このアナログのみなし音声信号は監視対象側の通信アダプタ装置１３内で、３２ｋｂｐｓのＡＤＰＣＭデジタル信号に変換され、エラー訂正用フレームが付加され、ＩＰパケット通信により移動体通信網１５へ送信される（ステップ３０９）。この送信信号は監視センター側の通信アダプタ装置２４で受信され、エラーフレームの破棄が行なわれた上でフレームが除去されてデジタル音声信号が抽出され、さらにデジタル音声信号からアナログ音声信号に変換される（ステップ３１０）。みなし音声信号に変換された監視データはモデム２６でデジタル信号に変換され（ステップ３１１）遠隔監視装置２１に送られる。遠隔監視装置２１では、受信した監視データに基づいてエレベータ１の故障状態を把握することができる（ステップ３１２）。
【００４９】
次に、上記構成の遠隔監視システムで監視センターより監視装置に対してポーリングにて定例的なエレベータ監視情報の吸い上げを行なう場合の動作について説明する。
図８は、エレベータ１の監視データをポーリングにより吸い上げる場合の動作の一例を示すフローチャートである。図８において、監視センターが監視情報の吸い上げを開始する場合（ステップ４０１）、遠隔監視装置２１は監視装置１０への発呼要求を発信する（ステップ４０２）。遠隔監視装置２１の発呼要求はモデム２６でアナログ電話インターフェースの発呼要求信号に変換される（ステップ４０３）。監視センター側の通信アダプタ装置２４は、遠隔監視装置２１からの発呼要求信号を受信すると、ＩＰパケット通信により、移動体通信網１５に対して監視対象側の通信アダプタ装置１３の電話番号宛てに発呼する（ステップ４０４）。この発呼により、仮想閉域ＩＰ通信網１８及び移動体通信網１５で接続された監視対象側の通信アダプタ装置１３に着信し、前記監視対象側の通信アダプタ装置１３よりアナログ電話インターフェースを介して監視対象側のモデム１１が呼び出される（ステップ４０５）。監視対象側のモデム１１が応答する（ステップ４０６）と、アナログ電話インターフェースを介して監視対象側の通信アダプタ装置１３に応答信号が送られ、監視対象側の通信アダプタ装置１３から移動体通信網１５に応答信号が送信され、それが仮想閉域ＩＰ通信網１８を介して監視センター側の通信アダプタ装置２４に到達し、監視センター側の通信アダプタ装置２４よりアナログ電話インターフェースを介して監視センター２０側のモデム２６に応答信号が送られることによりエレベータ側のモデム１１と監視センター２０側のモデム２６との間で通信が確立する。
【００５０】
次に、監視対象側のモデム１１と監視センター側のモデム２６との間の通信回線が確立された状態で、監視装置１０から監視データが出力され（ステップ４０７）、モデム１１でアナログのみなし音声信号に変換される（ステップ４０８）。このアナログのみなし音声信号は監視対象側の通信アダプタ装置１３内で、３２ｋｂｐｓのＡＤＰＣＭデジタル信号に変換され、エラー訂正用フレームが付加され、さらに所定のＡＴコマンド信号が重畳されて、ＩＰパケット通信により移動体通信網１５へ送信される（ステップ４０９）。この送信信号は監視センター側の通信アダプタ装置２４で受信され、エラーフレームの破棄が行なわれた上でフレームが除去されてデジタル音声信号が抽出され、さらにデジタル音声信号からアナログ音声信号に変換される（ステップ４１０）。みなし音声信号に変換された監視データはモデム２６でデジタル信号に変換され（ステップ４１１）遠隔監視装置２１に送られる。遠隔監視装置２１では、受信した監視データに基づいてエレベータ１の定例の監視状態を把握することができる（ステップ４１２）。
【００５１】
図９は、エレベータ１内の利用者が監視センター２０のオペレータと音声通話する場合の動作の一例を示すフローチャートである。図９において、まず利用者が送受話器１７を操作して通話ボタンを押すと（ステップ５０１）、監視対象側の通信アダプタ装置１３が送受話器１７から受信するアナログ電話インターフェースでの発呼要求を検知して、移動体通信制御における発信手順を起動することにより、ＩＰパケット通信により、監視センター２０の電話番号宛てに発呼する（ステップ５０２）。この発呼により、移動体通信網１５及び仮想閉域ＩＰ通信網１８で接続された監視センター側の通信アダプタ装置２４に着信し、前記監視センター側の通信アダプタ装置２４よりアナログ電話インターフェースを介して監視センター２０内の送受話器が２２呼び出される（ステップ５０３）。監視センター２０の送受話器２２でオペレータが応答する（ステップ５０４）と、アナログ電話インターフェースを介して監視センター側の通信アダプタ装置２４に応答信号が送られ、監視センター側の通信アダプタ装置２４から仮想閉域ＩＰ通信網１８に応答信号が送信され、それが移動体通信網１５を介して監視対象側の通信アダプタ装置１３に到達し、監視対象側の通信アダプタ装置１３よりアナログ電話インターフェースを介してエレベータ側の送受話器１７に応答信号が送られることによりエレベータ側の送受話器１７と監視センター２０側の送受話器２２との間で通信が確立する。エレベータ側の送受話器１７と監視センター２０側の送受話器２２との間で通信が確立された状態で、利用者が送受話器１７で送話すると（ステップ５０５）、その電話音声信号からなるアナログ音声信号が監視対象側の通信アダプタ装置１３内で、３２ｋｂｐｓのＡＤＰＣＭデジタル信号に変換され、エラー訂正用フレームが付加され、ＶｏＩＰによるＩＰパケット通信により移動体通信網１５へ送信される（ステップ５０６）。この送信信号は監視センター側の通信アダプタ装置２４で受信され、エラーフレームの破棄が行なわれた上でフレームが除去されてデジタル音声信号が抽出され、デジタル音声信号からアナログ音声信号に変換され（ステップ５０７）、監視センター側の送受話器２２にてオペレータが受話する（ステップ５０８）。一方、オペレータが送受話器２２で送話すると（ステップ５０９）、その電話音声信号からなるアナログ音声信号が監視センター側の通信アダプタ装置２４内で、３２ｋｂｐｓのＡＤＰＣＭデジタル信号に変換され、エラー訂正用フレームが付加され、ＶｏＩＰによるＩＰパケット通信により移動体通信網１５へ送信される（ステップ５１０）。この送信信号は監視対象側の通信アダプタ装置１３で受信され、エラーフレームの破棄が行なわれた上でフレームが除去されてデジタル音声信号が抽出され、デジタル音声信号からアナログ電話音声信号に変換され（ステップ５１１）、エレベータ側の送受話器１７にて利用者が受話する（ステップ５１２）。そして、音声通話の終了を検知すると音声通話を終了し（ステップ５１３でＹｅｓ）、終了を検知しなければ音声通話は継続する（ステップ５１３でＮｏ）。このようにして、エレベータ１内の利用者と監視センター２０のオペレータとの間で、双方向の同時通話ができる。
【００５２】
なお、本実施形態に係る遠隔監視システムでは、無線通信モジュール１３７のベースバンド制御部６０２に音声パケット用送信バッファ６０２ａを設け、この音声パケット用送信バッファ６０２ａが満杯になったときには、最初に蓄積された音声データすなわち古い音声データから廃棄処理する制御を行っているので、無線通信の途絶や瞬断等に無線通信エラーから無線通信が回復したときに、急激な音飛びを防いで、良好な双方向の同時通話ができる。
【００５３】
以上、本実施形態によれば、監視対象側の通信アダプタ装置１３において、監視対象の設置箇所にある監視装置１０を有する被監視部１００との間で送受信されるアナログ音声信号と、ＩＰパケットとの相互変換を行うとともに、移動体通信網１５との間で送受信される無線伝送信号とＩＰパケットとの相互変換を行う。これらの相互変換を行うことにより、移動体通信網１５のパケット交換網を介して、被監視部１００と監視センター２０との間で、デジタルデータから生成したアナログのみなし音声信号やオペレータなどの音声信号を含むアナログ音声信号の通信を行うことができる。よって、ＰＨＳを用いた場合に比べてより広い地域に配設された監視対象について、移動体通信網１５のパケット交換網を介して安定した通信状態を維持しながら遠隔監視することができる。
また、監視対象側の利用者と監視センター２０側のオペレータとが互いの送受話器で通話中に、無線通信の途絶や瞬断があって、その後無線通信が回復したときに、急激な音飛びを防いで、良好な双方向の同時通話をすることができる。
また、ＰＨＳ通信網を用いて構築されている既存の遠隔監視システムにおいて、ＰＨＳ通信網を本実施形態に係る移動体通信網を用いた構成に容易に切り替えることができる。
また、監視センター２０側が仮想閉域ＩＰ通信網１８に接続されたＬＡＮ２３を構築していれば、既存の設備を使用することができる。例えば、監視センター側にある既存の通信アダプタ装置に既存のパーソナルコンピュータを接続して遠隔監視が可能である。また、既存のＩＰ電話を用いて監視対象側との音声通話が可能である。これにより、遠隔監視システムの新規導入時やＰＨＳを用いた遠隔監視システムからの切り換え時の設備投資コストを従来に比べて抑制することができる。
【００５４】
なお、上記実施形態では、監視対象の監視データを監視センターに送信するとともに、監視対象側と監視センターとの間で双方向音声通話ができる構成について説明したが、これに加えて、監視センター側から制御データを送信して監視対象を遠隔制御することもできる。
また、上記実施形態では、監視対象がエレベータの場合について説明したが、本発明は、監視対象の種類に限定されることなく適用することができる。例えば、本発明は、監視対象が駐車場設備、ビルのポンプ設備や空調設備、プラント内の設備や環境である場合にも同様に適用することができ、同様な効果を奏するものである。
【符号の説明】
【００５５】
１    エレベータ（監視対象）
１０  監視装置
１１、２６  モデム
１２、２５  切替器
１３  監視対象側の通信アダプタ装置
１４  アンテナ
１５  移動体通信網
１６  携帯基地局
１７、２２  送受話器
１８  仮想閉域ＩＰ通信網
２０  監視センター
２１  遠隔監視装置
２３  ＬＡＮ
２４  監視センター側の通信アダプタ装置
１００  被監視部
１３０  音声パケット変換処理部
１３１、２４１  加入者ループインターフェース回路（ＳＬＩＣ）
１３２、２４２  ＡＤＰＣＭコーデック部（ＡＤＰＣＭ−Ｃｏｄｅｃ）
１３３、２４３  パケット処理部
１３４、２４４  制御信号変換部
１３５  パケット通信制御部
１３６  ＵＳＩＭ
１３７  無線通信モジュール
２００  監視部
２４５  パケット通信制御部
６０１  インターフェース制御部
６０２  ベースバンド制御部
６０２ａ  音声パケット用送信バッファ
６０２ｂ  制御パケット用送信バッファ
６０３  ＲＦ制御部
６０４  ＲＦフロントエンド部
【図１】
0005623132.tif 000002
【図２】
0005623132.tif 000003
【図３】
0005623132.tif 000004
【図４】
0005623132.tif 000005
【図５】
0005623132.tif 000006
【図６】
0005623132.tif 000007
【図７】
0005623132.tif 000008
【図８】
0005623132.tif 000009
【図９】
0005623132.tif 000010
【図１０】
0005623132.tif 000011